(57)【要約】【課題】本発明は装飾部品付き止着具、およびその装飾部品の取付方法に関し、衣料品、バッグ等の身回品、履き物に使用され、製作、組付を容易にし、装飾性を発揮する。【解決手段】筒体部１ａを突設して金属で構成された一方のリング１と、該筒体部を嵌入する孔２ａを設けた他方のリングと、筒体部を嵌入してリング１,２間に挟持されて合成樹脂等の弾性材で構成される保持板材４とを有する止着具であって、リング１に装飾部品３を臨ませる窓孔１ｂを設け、保持板材に装飾部品の下方部を収容する収容孔４ａを設けた。リング１に設けた窓孔１ｂから装飾部品３を臨ませ、保持板材４の孔４ｂ内にリング１の筒体部１ａを嵌入して保持板材をリング１の裏面に嵌着し、収容孔４ａ内に装飾部品３を収容させ、リング２の孔２ａ内に筒体部１ａを嵌入してリング１,２により保持板材を挟着して装飾部品３を弾性支持する。【選択図】図１
2006204883.tif 000002
【特許請求の範囲】
【請求項１】
裏面略中央に筒体部を突設して金属で構成された一方のリングと、前記筒体部を嵌入する孔を設けて金属で構成された他方のリングと、前記筒体部を嵌入して２個の前記リング間に挟持され合成樹脂等の弾性材で構成された保持板材とを有する止着具であって、一方の前記リングに装飾部品を臨ませる所望個数の窓孔が設けられ、前記保持板材には前記窓孔に対応する位置に前記装飾部品の下方部を収容する収容孔が設けられていることを特徴とする装飾部品付き止着具。
【請求項２】
金属で構成された一方のリングと、裏面中央に筒体部を突設して金属で構成された他方のリングと、裏面に設けた突出部を前記筒体部に嵌入して２個の前記リング間に挟持され合成樹脂等の弾性材で構成された保持板材とを有する止着具であり、一方の前記リングに装飾部品を臨ませる所望個数の窓孔が設けられ、そして前記保持板材には前記窓孔に対応する位置に前記装飾部品の下方部を収容する収容孔が設けられていることを特徴とする装飾部品付き止着具。
【請求項３】
所望個数の前記窓孔が、一方の前記リングに同心円的に設けられているか、或いは不規則的に、または規則的に設けられていることを特徴とする請求項１または２に記載の装飾部品付き止着具。
【請求項４】
前記保持板材と他方の前記リングとの間に介装する被取付物に係止可能な滑り防止手段が、前記保持板材の下面に設けられていることを特徴とする請求項１〜３の何れか１項に記載の装飾部品付き止着具。
【請求項５】
前記滑り防止手段が、同心円的に突設される多数の係止突起または凹凸面であるか、或いは連続した断面山形の凸状であることを特徴とする請求項４に記載の装飾部品付き止着具。
【請求項６】
前記装飾部品が、宝石、貴石、人造宝石及び、ビーズから選ばれる少なくとも１つであることを特徴とする請求項１〜５の何れか１項に記載の装飾部品付き止着具。
【請求項７】
前記止着具が、はとめであることを特徴とする請求項１〜６の何れか１項に記載の装飾部品付き止着具。
【請求項８】
前記止着具が、雌スナップ釦であることを特徴とする請求項１〜６の何れか１項に記載の装飾部品付き止着具。
【請求項９】
前記止着具が、装飾釦とされることを特徴とする請求項２〜６の何れか１項に記載の装飾部品付き止着具。
【請求項１０】
前記止着具が、金属釦とされることを特徴とする請求項２〜６の何れか１に記載の装飾部品付き止着具。
【請求項１１】
前記雌スナップ釦が、前記筒体部内に嵌入された内筒をリングにかしめ固定されていることを特徴とする請求項８に記載の装飾部品付き止着具。
【請求項１２】
前記止着具が、雌スナップ釦に設けられた取付孔内に嵌脱可能となる突出部を有した雄スナップ釦とされることを特徴とする請求項１〜８の何れか１項に記載の装飾部品付き止着具。
【請求項１３】
前記リングの筒体部が、外周の対向位置に糸通し孔を開設した取付環部を有することを特徴とする請求項１０に記載の装飾部品付き止着具。
【請求項１４】
前記保持板材の前記突出部が、取付環部に対向して設けられた糸通し孔を跨ぐように取付環部内に嵌入され二股の脚体部を有していることを特徴とする請求項１０または１３に記載の装飾部品付き止着具。
【請求項１５】
裏面略中央に筒体部を突設して金属で構成された一方のリングと、前記筒体部を嵌入する孔を設けて金属で構成された他方のリングと、前記筒体部を嵌入して２個の前記リング間に挟持されて合成樹脂等の弾性材で構成される保持板材とを有する止着具に装飾部品を取付ける方法であって、一方の前記リングに設けた所望個数の窓孔の裏面から装飾部品を臨ませる工程と、前記保持板材に設ける孔内に前記筒体部を嵌入して該保持板材を前記リングの裏面に嵌着し、該保持板材に設けた収容孔内に前記装飾部品を弾性的に収容させる工程と、他方の前記リングの前記孔内に前記筒体部を嵌入して２つの前記リングにより前記保持板材を挟着、固定するとともに該保持板材にて前記装飾部品を裏面から弾性支持する工程と、を順次有することを特徴とする装飾部品付き止着具の装飾部品の取付方法。
【請求項１６】
金属で構成される一方のリングと、裏面中央に筒体部を突設して金属で構成された他方のリングと、裏面に設けた突出部を前記筒体部に嵌入して２個の前記リング間に挟持されて合成樹脂等の弾性材で構成された保持板材とを有する止着具に装飾部品を取付ける方法であって、前記保持板材に設けた収容孔内に前記装飾部品を弾性的に収容させて一方の前記リングに設けられた所望個数の窓孔の裏面から装飾部品を臨ませる工程と、他方の前記リングの前記筒体部内に前記保持板材の突出部を嵌入して２つの前記リングにより前記保持板材を挟着、固定するとともに該保持板材にて前記装飾部品を裏面から弾性支持する工程と、を順次有することを特徴とする装飾部品付き止着具の装飾部品の取付方法。
【発明の詳細な説明】
【技術分野】
【０００１】
本発明は装飾部品付き止着具、および装飾部品の取付方法に関し、例えばジャケット、シャツ、ズボン等の衣料品、またバッグ、帽子等の身回品、スニーカ、ブーツ、登山靴等の履き物に最適に使用され、製作、組付が容易であり、優れた装飾性を発揮するものである。
【背景技術】
【０００２】
従来、例えばジャケット、シャツ、ズボン、下着等の衣料品、またバッグ、帽子等の身回品、スニーカ、ブーツ、登山靴等の履き物、さらにはテント等に装着され、紐を引き締め可能に挿通させることにより止着部を形成するための備品としてはとめが使用されている。
【０００３】
このはとめは、従来、金属材により形成される一方のリングに筒体部を設け、他方のリングには前記筒体部を嵌入してかしめ固定する孔を設けたものがあった（例えば、特許文献１参照。）。
【特許文献１】特開平８−２４０１４号公報
【発明の開示】
【発明が解決しようとする課題】
【０００４】
しかしながら上記特許文献１に記載のはとめは、金属材により形成される２つのリングの一方のリングに設けた筒体部を他方のリングに設けた孔内に嵌入してかしめ固定することにより製作、および組付けを比較的容易に行えるものであるが、デザイン的に単純であって変化がなく、装飾性に欠けるものであった。例えば装飾性を向上するのに、人造宝石やビーズ等の装飾部品をリングの表面に取付ける方策があるが、この装飾部品をリングに取付けるのには、例えば接着剤を用いて接着することが考えられる。
【０００５】
また、接着剤を用いて装飾部品をリングに取付けるには、接着剤が固化して接着効能を発揮するまでに多くの時間がかかる。また、手作業により装飾部品を１個づつリングに接着しなければならず、多くの労力がかかるので、製作能率が低いものであった。しかも、リングに対して取付けられる装飾部品の取付位置が不揃いであり、取付精度が悪かった。そのうえ、装飾部品の取付後においても、装飾部品が引っかかったり、接着剤が劣化すると、装飾部品に脱落を生ずることがあった。また、異物感を生ずることがあった。
【０００６】
本発明は上記課題に鑑みなされ、装飾部品のリングに対する取付が短時間に容易であり、製作、組付けが製作能率良く行え、また、装飾部品の取付精度が高く、しかも、取付後において装飾部品の脱落がなく、構造堅牢にして取付が異物感を生ずることなく行え、量産可能であり、製作コストが安価な止着具、およびその装飾部品の取付方法を提供することを目的とする。
【課題を解決するための手段】
【０００７】
本発明の請求項１に記載の発明は、裏面略中央に筒体部を突設して金属で構成された一方のリングと、前記筒体部を嵌入する孔を設けて金属で構成された他方のリングと、前記筒体部を嵌入して２個の前記リング間に挟持され合成樹脂等の弾性材で構成された保持板材とを有する止着具であって、一方の前記リングに装飾部品を臨ませる所望個数の窓孔が設けられ、前記保持板材には前記窓孔に対応する位置に前記装飾部品の下方部を収容する収容孔が設けられていることを特徴とする。
【０００８】
また、本発明の請求項２に記載の発明は、金属で構成された一方のリングと、裏面中央に筒体部を突設して金属で構成された他方のリングと、裏面に設けた突出部を前記筒体部に嵌入して２個の前記リング間に挟持され合成樹脂等の弾性材で構成された保持板材とを有する止着具であり、一方の前記リングに装飾部品を臨ませる所望個数の窓孔が設けられ、そして前記保持板材には前記窓孔に対応する位置に前記装飾部品の下方部を収容する収容孔が設けられていることを特徴とする。
【０００９】
また、本発明の請求項３に記載の発明は、請求項１または２において、所望個数の前記窓孔が、一方の前記リングに同心円的に設けられているか、或いは不規則的に、または規則的に設けられていることを特徴とする。
【００１０】
また、本発明の請求項４に記載の発明は、請求項１〜３の何れか１項において、前記保持板材と他方の前記リングとの間に介装する被取付物に係止可能な滑り防止手段が、前記保持板材の下面に設けられていることを特徴とする。
【００１１】
また、本発明の請求項５に記載の発明は、請求項４において、前記滑り防止手段が、同心円的に突設される多数の係止突起または凹凸面であるか、或いは連続した断面山形の凸状であることを特徴とする。
【００１２】
また、本発明の請求項６に記載の発明は、請求項１〜５において、前記装飾部品が、宝石、貴石、人造宝石及び、ビーズから選ばれる少なくとも１つであることを特徴とする。
【００１３】
また、本発明の請求項７に記載の発明は、請求項１〜６の何れか１項ににおいて、前記止着具が、はとめであることを特徴とする。
【００１４】
また、本発明の請求項８に記載の発明は、請求項１〜６の何れか１項において、前記止着具が、雌スナップ釦であることを特徴とする。
【００１５】
また、本発明の請求項９に記載の発明は、請求項２〜６の何れかにおいて、前記止着具が、装飾釦とされることを特徴とする。
【００１６】
また、本発明の請求項１０に記載の発明は、請求項２〜６の何れか１において、前記止着具が、金属釦とされることを特徴とする。
【００１７】
また、本発明の請求項１１に記載の発明は、請求項８において、前記雌スナップ釦が、前記筒体部内に嵌入された内筒をリングにかしめ固定されていることを特徴とする。
【００１８】
また、本発明の請求項１２に記載の発明は、請求項１〜８の何れか１項において、前記止着具が、雌スナップ釦に設けられた取付孔内に嵌脱可能となる突出部を有した雄スナップ釦とされることを特徴とする。
【００１９】
また、本発明の請求項１３に記載の発明は、請求項１０において、前記リングの筒体部が、外周の対向位置に糸通し孔を開設した取付環部を有することを特徴とする。
【００２０】
また、本発明の請求項１４に記載の発明は、請求項１０または１３において、前記保持板材の前記突出部が、取付環部に対向して設けられた糸通し孔を跨ぐように取付環部内に嵌入され二股の脚体部を有していることを特徴とする。
【００２１】
また、本発明の請求項１５に記載の発明は、裏面略中央に筒体部を突設して金属で構成された一方のリングと、前記筒体部を嵌入する孔を設けて金属で構成された他方のリングと、前記筒体部を嵌入して２個の前記リング間に挟持されて合成樹脂等の弾性材で構成される保持板材とを有する止着具に装飾部品を取付ける方法であって、一方の前記リングに設けた所望個数の窓孔の裏面から装飾部品を臨ませる工程と、前記保持板材に設ける孔内に前記筒体部を嵌入して該保持板材を前記リングの裏面に嵌着し、該保持板材に設けた収容孔内に前記装飾部品を弾性的に収容させる工程と、他方の前記リングの前記孔内に前記筒体部を嵌入して２つの前記リングにより前記保持板材を挟着、固定するとともに該保持板材にて前記装飾部品を裏面から弾性支持する工程と、を順次有することを特徴とする。
【００２２】
また、本発明の請求項１６に記載の発明は、金属で構成される一方のリングと、裏面中央に筒体部を突設して金属で構成された他方のリングと、裏面に設けた突出部を前記筒体部に嵌入して２個の前記リング間に挟持されて合成樹脂等の弾性材で構成された保持板材とを有する止着具に装飾部品を取付ける方法であって、前記保持板材に設けた収容孔内に前記装飾部品を弾性的に収容させて一方の前記リングに設けられた所望個数の窓孔の裏面から装飾部品を臨ませる工程と、他方の前記リングの前記筒体部内に前記保持板材の突出部を嵌入して２つの前記リングにより前記保持板材を挟着、固定するとともに該保持板材にて前記装飾部品を裏面から弾性支持する工程と、を順次有することを特徴とする。
【発明の効果】
【００２３】
本発明の装飾部品付き止着具、および装飾部品の取付方法は、装飾部品のリングに対する取付が短時間に容易になり、製作、組付けが製作能率良く行え、また、装飾部品の取付精度が高く、しかも、取付後において装飾部品の脱落がなく、構造堅牢な取付が異物感を生ずることなく行え、量産可能であり、製作コストが安価になる。
【発明を実施するための最良の形態】
【００２４】
以下、本発明の最良の実施形態を図面に従って詳細を説明する。
【００２５】
図１は本発明の装飾部品付き止着具をはとめに適用した場合の完成品の実施形態１を示す断面図、図２は同じく表面側の一方のリングの裏面に装飾部品および保持板材を組込む状態の工程を示す断面図、図３は同じく表面側の一方のリングの裏面に装飾部品、保持板材、被取付物、さらに他方のリングを組込む状態の工程を示す断面図、図４は同じく本実施形態１の装飾部品付き止着具を構成する一方のリングを示す平面図、図５は同じく該リングの断面図、図６は同じく本実施形態１の装飾部品付き止着具を構成する他方のリングを示す平面図、図７は同じく該リングの断面図、図８は同じく本実施形態１の装飾部品付き止着具を構成する保持板材を示す平面図、図９は同じく断面図、図１０は同じく前記保持板材の裏面図である。
【００２６】
本実施形態１の装飾部品付き止着具としてのめはとめは、裏面略中央に筒体部１ａを突設して金属で構成された一方のリング１と、前記筒体部１ａを嵌入してかしめ固定する孔２ａを設けて金属で構成された他方のリング２と、前記筒体部１ａを嵌入して２個の前記リング１,２間に挟持され合成樹脂等の弾性材で構成された保持板材４とを有する止着け具であって、一方の前記リング１に装飾部品３を臨ませる所望個数の窓孔１ｂが設けられ、前記保持板材４には前記窓孔１ｂに対応する位置に前記装飾部品３の下方部を収容する収容孔４ａが設けられていることを特徴とする。
【００２７】
本実施形態１の装飾部品付き止着具としてのはとめでは、前記リング１に設けられる所望個数の前記窓孔１ｂ,１ｂ・・・１ｂが、図４では８分周位置に８個が同心円的に設けられているが、これに限らず図には示さないが不規則的に、または規則的に設けられてもよい。また、この窓孔１ｂは、図示では平面正円形に形成されているが、図示は代表的な例示であり、図示するものに限ることなく、窓孔１ｂの形状は例えば平面八角形、平面六角形、平面正方形、平面菱形等があげられる。また、窓孔１ｂの大きさは、例えば装飾部品３を考慮する等して自由に決定される。
【００２８】
また、前記リング１は、直径Ｄ１の大きさであり、また、前記リング２は、直径Ｄ２の大きさであり、リング１,２は略同径の大きさに形成される。２ｂは後記保持板材４の係止突起５ａが挿入されるようにリング２に設けた環状凹部である。
【００２９】
前記装飾部品３には、例えば宝石、または貴石、人造宝石、ビーズがあり、これ等から選ばれる少なくとも１つが使用される。
【００３０】
４は合成樹脂等の弾性材で構成された保持板材であり、この保持板材４に設けた孔４ｂ内に前記筒体部１ａを嵌入することにより該保持板材４は前記リング１,２間に挟持される。本実施形態１では、この保持板材４の直径Ｄ３は前記リング１,２よりも僅かに小径に形成され、しかも、この保持板材４に設けた前記孔４ｂの内径φ２は、前記リング１の筒体部１ａの外径φ１よりも僅かに小径に設けられることにより筒体部１ａを孔４ｂ内に弾性力に抗して圧入して保持板材４をリング１の裏面に弛みがなく、嵌着するようになっている（図２参照）。
【００３１】
また、この保持板材４には、表面に装飾部品３の下部に適合する内形状の収容孔４ａ,４ａ・・・４ａを設けられ、該収容孔４ａ,４ａ・・・４ａ内に装飾部品３は弾性的に収容される。そして、装飾部品３は裏面から保持板材４に弾性的に支持されることにより前記窓孔１ｂ,１ｂ・・・１ｂから臨まれる。図示する実施形態１では、装飾部品３が宝石、人造宝石として描かれているので、この装飾部品３の下方のカット形状に適合するように収容孔４ａ,４ａ・・・４ａの内面形状は錐状に設けられている。
【００３２】
前記合成樹脂としては、例えばポリアミド樹脂、ポリプロピレン樹脂、ポリエチレン樹脂、ポリカーボネート樹脂、ポリウレタン樹脂、ポリ塩化ビニール樹脂等があげられ、弾性を発揮される。
【００３３】
５は前記保持板材４の下面に設けられた滑り防止手段であり、この滑り防止手段５は、該保持板材４と他方の前記リング２との間に介装して本実施形態１の装飾部品付きはとめを取付けるための被取付物６に係止可能に設けられる。
【００３４】
この滑り防止手段５は、本実施形態１では図１０に示すように、保持板材４の下面に同心円的に突設される多数、例えば図示では１６個の先鋭な係止突起であるが、この滑り防止手段５はこれに限ることなく、例えば図には示さないが、例えば凹凸面、連続した断面山形の凸状の何れかでもよい。
【００３５】
前記被取付物６としては、例えばジャケット、シャツ、ズボン、下着等の衣料品を構成する布帛、或いはバッグ、帽子等の身回品を構成する布帛や皮革、合成樹脂シート、または、スニーカ、ブーツ、登山靴等の履き物を構成する布帛や生地、さらにはテント等の生地が挙げられ、紐が引き締め可能に挿通されることにより止着部を形成するためのものである。
【００３６】
本発明の装飾部品付きはとめの実施形態１は以上の構成からなり、以下本願他の発明としての装飾部品の取付方法を被取付物６にはとめを取付ける場合につき工程順に作用とともに説明する。
【００３７】
本発明の装飾部品付きはとめの装飾部品の取付方法は、裏面略中央に筒体部１ａを突設して金属で構成された一方のリング１と、前記筒体部１ａを嵌入してかしめ固定する孔２ａを設けて金属で構成された他方のリング２と、前記筒体部１ａを嵌入して２個の前記リング１,２間に挟持され合成樹脂等の弾性材で構成された保持板材４とを有するはとめに装飾部品３を取付ける方法である。
【００３８】
そして、先ず第１工程として、一方の前記リング１に設けられた所望個数の窓孔１ｂ,１ｂ・・・１ｂの裏面から装飾部品３を臨ませる。
【００３９】
次いで、第２工程として、合成樹脂等の弾性材で構成された保持板材４の略中央に設けた孔４ｂ内に前記リング１に突設している前記筒体部１ａを嵌入することにより該保持板材４を前記リング１の裏面に嵌着する。そして、保持板材４に設けられた収容孔４ａ,４ａ・・・４ａ内に前記装飾部品３を弾性的に収容させる（図２参照）。
【００４０】
この際、窓孔１ｂ,１ｂ・・・１ｂは、本実施形態１では所望個数、例えば図４に示すように８分周位置に８個が同心円的に設けられているが、窓孔１ｂの設置個数、および設置位置は図示するものに限らず、図には示さないが不規則的に、または規則的に所望個数が設けられてもよい。また、この窓孔１ｂは、図示では平面正円形に形成されているが、図示は代表的な例示であり、これに限ることなく、窓孔１ｂの形状は例えば平面八角形、平面六角形、平面正方形、平面菱形等があげられる。また、窓孔１ｂの大きさは、例えば装飾部品３を考慮する等して自由に決定されるが、装飾部品３に対して窓孔１ｂが大き過ぎて装飾部品３が不用意に移動したり、ガタツキを生ずることなく、窓孔１ｂと装飾部品３との間に余計な間隙ができてゴミが侵入しないようにする。
【００４１】
また、保持板材４に設けられる収容孔４ａ,４ａ・・・４ａは、装飾部品３の下部に適合する内形状に設けられるので、装飾部品３は裏面から保持板材４が押当てられることにより収容孔４ａ,４ａ・・・４ａ内に弾性的に収容され、そして、前記窓孔１ｂ,１ｂ・・・１ｂから臨まれる。また、図示する実施形態１では、装飾部品３が宝石、人造宝石であるので、この装飾部品３の下方のカット形状に適合するように収容孔４ａ,４ａ・・・４ａの内面形状は錐状に設けられ、装飾部品３が収容孔４ａ,４ａ・・・４ａ内に収容された時に、ずれやガタツキがなく装飾部品３は収容される。
【００４２】
その後、第３工程として、前記リング１に突設した前記筒体部１ａをはとめが取付けられる被取付物６に設けられている孔６ａ内に嵌入することによりリング１の裏面に組み込まれた保持板材４の裏面に被取付物６を重合させる。この被取付物６としては、例えばジャケット、シャツ、ズボン、下着等の衣料品を構成する布帛、或いはバッグ、帽子等の身回品を構成する布帛や皮革、合成樹脂シート、また、スニーカ、ブーツ、登山靴等の履き物を構成する布帛や生地、さらにはテント等の生地が挙げられ、紐が引き締め可能に挿通されることにより止着部を形成するためのものである。
【００４３】
さらに、第４工程として、他方のリング２に設けられた孔２ａ内に前記リング１の筒体部１ａを嵌入することにより該筒体部１ａの下端部１ａ1をリング２に対してかしめ固定Ｋすることにより２つの前記リング１,２により前記保持板材４を該保持板材４の下面に配した被取付物６を介して挟着、固定する。こうして、該保持板材４により前記装飾部品３を裏面から弾性支持する（図１参照）。
【００４４】
この際、保持板材４の下面には滑り防止手段５が設けられているので、この滑り防止手段５が保持板材４と前記リング２との間に介装する被取付物６に上面から係止可能になるとともにこの滑り防止手段５の設置個所における被取付物６がリング２に設けられた環状凹部２ｂ内に嵌入されるため、はとめは被取付物６に対して周方向へ不用意に移動したりすることなく所定位置に確実にかつ構造堅牢に取付けられ、しかも外力が加っても滑落することがない。
【００４５】
また、本実施形態１では、滑り防止手段５は図示のように、保持板材４の下面に同心円的に突設された多数、例えば図示では１６個の先鋭な係止突起５ａが採用されているが、滑り防止手段５はこれに限ることなく、例えば図には示さないが、凹凸面、或いは連続した断面山形の凸状の何れかでもよい。
【００４６】
上述のように、本実施形態１の装飾部品付きはとめでは、装飾部品３をリング１,２に取付けるのに、接着剤を用いて行うという従来の取付方法とは異なり、金属で構成される２個のリング１,２のうち一方のリング1に設けられた所望個数の窓孔1ｂ,1ｂ・・・1ｂの裏面から装飾部品３は臨まれる（図１参照）。
【００４７】
次いで、例えばポリアミド樹脂、ポリプロピレン樹脂、ポリエチレン樹脂、ポリカーボネート樹脂、ポリウレタン樹脂、ポリ塩化ビニール樹脂等よりなる合成樹脂等の弾性材により構成された保持板材４の孔４ｂ内に、前記リング１に突設した筒体部１ａを嵌入することにより該保持板材４を前記リング１の裏面に嵌着して保持板材４に設けられた収容孔４ａ内に装飾部品３を弾性的に収容させる。
【００４８】
それから、他方のリング２に設けた孔２ａ内に前記筒体部１ａを嵌入することにより下端部１ａ1をかしめ固定Ｋして金属で構成された２つのリング１,２により、合成樹脂等の弾性材で構成された保持板材４を挟着、固定するとともに該保持板材４にて装飾部品３は裏面から弾性支持されるので、装飾部品３は取付後においても保持板材４が弾性力を発揮することにより装飾部品３に加わる衝撃を緩衝して収容孔４ａ内に確実に保持される。
【００４９】
しかも、本実施形態１の装飾部品付きはとめの取付方法では、簡単な手順、所作によりリング１,２に装飾部品３を短時間に多くの労力を要することなく、容易に取付けることができる。また製作、組付けが能率高く行え、量産可能であり、製作コストが安価になる。
【００５０】
そして、例えば宝石、または貴石、人造宝石、ビーズ等の装飾部品３は、表面側は一方のリング２に設けられた窓孔１ｂ,１ｂ・・・１ｂから臨まれ、裏面側は前記窓孔１ｂ,１ｂ・・・１ｂに対応して前述のように合成樹脂等の弾性材で形成される保持板材４に設けられた収容孔４ａ,４ａ・・・４ａ内に収容されて弾性支持されるので、接着剤を用いて装飾部品をリングに取付けるという従来の取付方法とは異なり、装飾部品３は高い取付精度により取付けられる。また、装飾部品３は取付後において、本実施形態では２つのリング１,２により表裏から覆われ、しかも装飾部品３は裏面から保持板材４により弾性的に支持されるので、装飾部品３が引っ掛かって脱落することがなく構造堅牢に取付けることができ、しかも異物感を生じない。
【００５１】
図１１および図１２は本発明の実施形態２であり、この実施形態２では、止着具としてめスナップ釦に適用したものである。
【００５２】
そして、この実施形態２では、雌スナップ釦Ｓ１が、裏面略中央に筒体部１ａを突設して金属で構成された一方のリング１と、前記筒体部１ａを嵌入する孔２ａを設けて金属で構成された他方のリング２と、前記筒体部１ａを嵌入することにより２個の前記リング１,２間に挟持され合成樹脂等の弾性材で構成された保持板材4とにより構成され、一方の前記リング１に装飾部品３を臨ませる所望個数の窓孔１ｂが設けられ、前記保持板材４には前記窓孔１ｂに対応する位置に前記装飾部品３の下方部を収容する収容孔４ａが設けられている点は、図１ないし図１０に示す実施形態１の前記はとめと同様の構成であり、同様の作用、同様手順で組付けられ、製作が行われる。
【００５３】
しかし、この実施形態２では、前記雌スナップ釦Ｓ１は、２つの前記リング１と前記リング２との間に合成樹脂の前記保持板材４が挟持され、さらにリング１の前記筒体部１ａ内に内筒２０を嵌入し、かしめ固定２０ａされて一体的に組付けられる。このように、雌スナップ釦Ｓ１は、筒体部１ａ内に内筒２０が嵌入されるので、構造堅牢に前記リング１と前記リング２と前記保持板材４とを組み付けることができるとともに内筒２０内に、後記雄スナップ釦Ｓ２の嵌脱操作が円滑かつ確実に行われるようにしている。
【００５４】
また、Ｓ２は前記雌スナップ釦Ｓ１と対合して止着具を構成する雄スナップ釦Ｓ２であり、この雄スナップ釦Ｓ２は、前記雌スナップ釦Ｓ１に設ける取付孔２１内に嵌脱可能になる突出部２２を有しているほかは、前記実施形態１と同様の構成、作用である。６′は雄スナップ釦Ｓ２が取付けられる被取付物である。
【００５５】
図１３ないし図１６は本発明の実施形態３であり、この実施形態３では、止着具として装飾釦を適用した場合である。
【００５６】
そして、この実施形態３では、金属で構成された一方のリング１と、金属で構成された他方のリング２との２個の前記リング１,２間に合成樹脂等の弾性材で構成された保持板材４を挟持することにより構成される止着具であり、一方の前記リング１に装飾部品３を臨ませる所望個数の窓孔１ｂが設けられ、前記保持板材４には前記窓孔１ｂに対応する位置に前記装飾部品３の下方部を収容する収容孔４ａが設けられた点は前記実施形態１と同様の構成、作用である。
【００５７】
しかしながら、本実施形態３では、リング１とリング２とを組み付けるとともに２個の前記リング１,２間に保持板材４が挟持されて組み付けるのに、先ず、合成樹脂等の弾性材で構成された保持板材４に設けた収容孔４ａ内に装飾部品３を弾性的に収容させて一方の前記リング１に設けた所望個数の窓孔１ｂの裏面から装飾部品３を臨ませる。次いで、リング２の裏面中央に突設された筒体部２ｃに保持板材４の裏面、中央に設けられた筒状の突出部４ｃを嵌入することにより２個の前記リング１,２間に保持板材４を挟着、固定するとともに、リング１の外周に設ける折曲部１ｃをリング２の外周にかしめ固定することによりリング１とリング２とを組み付けるようにしている。そして、前記保持板材４にて前記装飾部品３を裏面から弾性支持し、取付後は装飾部品３は違和感を生ぜずに、脱落することなく構造堅牢に取付けるようにしている。
【００５８】
３０はリング２の筒体部２ｃの外部下方から突出部４ｃ内に軸長方向に圧入される鋲体であり、この鋲体３０は扁平な頭部３０ａと、該頭部３０ａに突設される柱状部３０ｂとよりなり、該柱状部３０ｂの外周には前記突出部４ｃの内周面に係止されて抜けが防止される鋸刃状の係止部３０ｃが複数条形成されている。このように、鋲体３０をリング２の筒体部２ｃの外部から保持板材４の突出部４ｃ内に圧入するのは、リング２の筒体部２ｃの下面と鋲体３０の頭部３０ａとにより被取付物６を挟持することにより本実施形態の装飾釦を被取付物６に簡単な取扱い操作により取付けるとともにリング２に対する保持板材４の取付を鋲体３０により確実になすためである。
【００５９】
なお、図１４において３１は前記リング１の表面に形成された適宜形状の模様であり、この模様３１は前記装飾部品３と調和して装飾釦の装飾性を有効に発揮させるためのものである。
【００６０】
図１７ないし図２１は本発明の実施形態４であり、この実施形態４では、止着具として金属釦に適用した場合を示す。
【００６１】
そして、この実施形態４では、金属で構成された一方のリング１と、金属で構成された他方のリング２との２個の前記リング１,２間に合成樹脂等の弾性材で構成された保持板材４を挟持することにより構成される止着具であり、一方の前記リング１に装飾部品３を臨ませる所望個数の窓孔１ｂを設け、前記保持板材４には前記窓孔１ｂに対応する位置に前記装飾部品３の下方部を収容する収容孔４ａが設けられた点は前記実施形態１と同様の構成、作用である。
【００６２】
しかしながら、本実施形態３では、リング１とリング２とを組み付けるとともにこの２個の前記リング１,２間に保持板材４を挟持して組み付けるのに、先ず、合成樹脂等の弾性材で構成された保持板材４に設けた収容孔４ａ内に装飾部品３の下方部を弾性的に収容させて一方の前記リング１に設けた所望個数の窓孔１ｂの裏面から装飾部品３を臨ませる。次いで、リング２の裏面中央に突設した筒体部２ｃに前記保持板材４の裏面、中央に図２０に示すように対向して設けた突出部４ｃ,４ｃを嵌入することにより２個の前記リング１,２間に保持板材４が挟着、固定されるとともに、リング１の外周に設ける折曲部１ｃをリング２の外周にかしめ固定することによりリング１とリング２とは組み付けられ、保持板材４にて前記装飾部品３を裏面から弾性支持するようにしている（図１７参照）。
【００６３】
前記リング２の筒体部２ｃが、本実施形態４では、図１９に示すように外周の対向位置に糸通し孔２ｄ,２ｄを開設した取付環部２ｅを有している。そして、本実施形態４の金属釦を被取付物６に取付けるのには、リング２の裏面中央に突設した筒体部２ｃの外周の対向位置に開設した糸通し孔２ｄ,２ｄ内に通し糸４０を挿通して被取付物６に結着することにより本実施形態４の金属釦は被取付物６に取付けられる。
【００６４】
また、前記保持板材４の前記突出部４ｃが、取付環部２ｅに対向して設けられた糸通し孔２ｄ,２ｄを跨ぐように取付環部２ｅ内に嵌入され二股の脚体部４ｄ,４ｄを有している。このように、保持板材４の前記突出部４ｃは、保持板材４の下面に対向して設けた脚体部４ｄ,４ｄが糸通し孔２ｄ,２ｄを跨ぐように取付環部２ｅ内に嵌入されるので、糸通し孔２ｄ,２ｄ内に通し糸４０を挿通する場合に、脚体部４ｄ,４ｄが邪魔になることなく、通し糸４０を糸通し孔２ｄ,２ｄ内に迅速かつ確実に挿通することができる。
【００６５】
なお、４１はリング１の表面に形成される適宜形状の模様であり、そのほかは、前記各実施形態と同様の構成、作用である。
【産業上の利用可能性】
【００６６】
本発明は、装飾部品のリングに対する取付が短時間に容易に製作、組付けが能率良く行え、また、装飾部品の取付精度が高く、しかも、取付後において装飾部品の脱落や異物感を生ずることなく構造堅牢な取付が行え、量産可能であり、製作コストが安価になるという用途・機能に適する。
【図面の簡単な説明】
【００６７】
【図１】図１は本発明の装飾部品付き止着具をはとめに適用した場合の完成品を示す実施形態１の断面図である。
【図２】図２は同じく表面側の一方のリングの裏面に装飾部品および保持板材を組込む状態の工程を示す断面図である。
【図３】図３は同じく表面側の一方のリングの裏面に装飾部品、保持板材、被取付物、さらに他方のリングを組込む状態の工程を示す断面図である。
【図４】図４は同じく本実施形態１の装飾部品付き止着具を構成する一方のリングを示す平面図である。
【図５】図５は同じく該リングの断面図である。
【図６】図６は同じく本実施形態１の装飾部品付き止着具を構成する他方のリングを示す平面図である。
【図７】図７は同じく該リングの断面図である。
【図８】図８は同じく本実施形態１の装飾部品付き止着具を構成する保持板材を示す平面図である。
【図９】図９は同じく断面図である。
【図１０】図１０は同じく前記保持板材の裏面図である。
【図１１】図１１本発明の実施形態２を示し、止着具をスナップ釦に適用した場合の雌スナップ釦と、雌スナップ釦とを係合した状態の断面図である。
【図１２】図１２は同じく雌スナップ釦と、雄スナップ釦とを脱係した状態の断面図である。
【図１３】図１３は本発明を装飾釦に適用した場合の完成品を示す実施形態３の組立断面図である。
【図１４】図１４は同じく本実施形態３の装飾釦を示す平面図である。
【図１５】図１５は同じく本実施形態３の装飾釦を示す裏面図である。
【図１６】図１６は同じく本実施形態３の装飾釦を示す分解断面図である。
【図１７】図１７は本発明を金属釦に適用した場合の完成品を示す実施形態４の組立断面図である。
【図１８】図１８は同じく本実施形態４の金属釦を示す平面図である。
【図１９】図１９は同じく本実施形態４の金属釦を示す裏面図である。
【図２０】図２０は同じく本実施形態４を構成する保持板材を示す裏面図である。
【図２１】図２１は本実施形態４の金属釦を示すの分解断面図である。
【符号の説明】
【００６８】
１      リング
１ａ    筒体部
１ｂ    窓孔
１ｃ    折曲部
２      リング
２ａ    孔
２ｂ    環状凹部
２ｃ    筒体部
２ｄ    糸通し孔
３      装飾部品
４      保持板材
４ａ    収容孔
４ｂ    孔
４ｃ    突出部
５      滑り防止手段
５ａ    係止突起
６      被取付物
３０    鋲体
４０    通し糸
Ｄ１    直径
Ｄ２    直径
Ｄ３    直径
φ１    外径
φ２    内径
Ｓ１    雌スナップ釦
Ｓ２    雄スナップ釦
【図１】
2006204883.tif 000003
【図２】
2006204883.tif 000004
【図３】
2006204883.tif 000005
【図４】
2006204883.tif 000006
【図５】
2006204883.tif 000007
【図６】
2006204883.tif 000008
【図７】
2006204883.tif 000009
【図８】
2006204883.tif 000010
【図９】
2006204883.tif 000011
【図１０】
2006204883.tif 000012
【図１１】
2006204883.tif 000013
【図１２】
2006204883.tif 000014
【図１３】
2006204883.tif 000015
【図１４】
2006204883.tif 000016
【図１５】
2006204883.tif 000017
【図１６】
2006204883.tif 000018
【図１７】
2006204883.tif 000019
【図１８】
2006204883.tif 000020
【図１９】
2006204883.tif 000021
【図２０】
2006204883.tif 000022
【図２１】
2006204883.tif 000023